(57)【特許請求の範囲】
【請求項１】
身頃の左右から延ばされた袖を備え、前記身頃及び前記袖のそれぞれは表地と裏地とを有する上着において、
前記表地は、前記身頃の脇部分を構成する表脇身頃部と、前記袖の内袖部分を構成する表小袖部とを、連続する生地で構成した脇小袖連続表地を含み、
前記裏地は、前記身頃の脇部分を構成する裏脇身頃部と、前記袖の内袖部分を構成する裏小袖部とを、連続する生地で構成した脇小袖連続裏地を含み、
前記袖の前記裏地は、前記脇小袖連続裏地の前記裏小袖部と、前記袖の外袖部分を構成する大袖裏地とを備え、
前記大袖裏地は、袖の付け根側の大袖上腕裏地と、袖先側の大袖前腕裏地とを備え、
前記大袖上腕裏地は、袖の周方向の伸びが袖の長手方向の伸びよりも大きな横伸縮裏地で構成され、
前記大袖前腕裏地は、袖の長手方向の伸びが袖の周方向の伸びよりも大きな縦伸縮裏地で構成されたものであることを特徴とする上着。
【請求項２】
前記表地は、前記脇小袖連続表地の前記表小袖部と共に前記袖を構成する大袖表地と、前記脇小袖連続表地の前記表脇身頃部の前後に配置された前身頃表地及び後身頃表地とを備え、
前記裏地は、前記脇小袖連続裏地の前記裏脇身頃部の前後に配置された前身頃裏地及び後身頃裏地とを備え、
前記大袖上腕裏地は少なくとも上腕部を含み、前記大袖前腕裏地は少なくとも肘部を含むものであることを特徴とする請求項１記載の上着。
【請求項３】
前記後身頃裏地が横伸縮裏地で構成されたことを特徴とする請求項２記載の上着。
【請求項４】
身頃の左右から延ばされた袖を備え、前記身頃と前記袖とは表地と裏地とを有する上着に用いられる前記裏地において、
前記裏地は、前記身頃の脇部分を構成する裏脇身頃部と、前記袖の内袖部分を構成する裏小袖部とを、連続する生地で構成した脇小袖連続裏地を含み、
前記袖の前記裏地は、前記脇小袖連続裏地の前記裏小袖部と、前記袖の外袖部分を構成する大袖裏地とを備え、
前記大袖裏地は、袖の付け根側の大袖上腕裏地と、袖先側の大袖前腕裏地とを備え、
前記大袖上腕裏地は、袖の周方向の伸びが袖の長手方向の伸びよりも大きな横伸縮裏地で構成され、
前記大袖前腕裏地は、袖の長手方向の伸びが袖の周方向の伸びよりも大きな縦伸縮裏地で構成されたものであることを特徴とする上着の裏地。
【発明の詳細な説明】
【技術分野】
【０００１】
本発明は、学生服、スーツ、ジャケット等の裏地を有する上着に関するものである。
【背景技術】
【０００２】
身頃から袖を一連の脇小袖連続生地で構成した衣服は、ニット素材などによるスポーツウエアなどに採用されていることがある。背広型被服上衣においては、提案されている例は少ないものの、特許文献１〜３に示すものが知られている。例えば、特許文献１は、背広型被服上衣において、脇小袖連続生地が湾曲状短冊型連続布片であって、脇下折線以下では略短冊形状からなり、該脇下線以上では中心軸線に対し傾斜角度２０度以下であり、かつ脇巾が胸回り半身体型寸法の１／４プラス３〜８％の長さである背広型被服上衣の構造を提案している。
【０００３】
ところが、これらの特許文献１〜３の上着は、腕の動きを円滑に行うため提案ではあるが、裏地については何らの考慮も払っていない。
裏地を備えた上着にあっては、表地と裏地とを併せて検討しなければ、着用感や腕の動きついて検討したことになり得ない。
【先行技術文献】
【特許文献】
【０００４】
【特許文献１】特公平８−６２０１号公報
【特許文献２】登録実用新案第３１７３５５３号公報
【特許文献３】実用新案登録第２５７１５５２号公報
【発明の概要】
【発明が解決しようとする課題】
【０００５】
本発明は、脇小袖連続生地を備えた上着において、表地と裏地とを包括的に捉えて、身頃から腕にかけての動きやすさを真の意味で実現することができる上着の提供を課題とする。また、本発明は、表地に対応して、新たな構成を有する裏地を提供することを課題とする。
【課題を解決するための手段】
【０００６】
本発明は、身頃の左右から延ばされた袖を備え、前記身頃と前記袖とは表地とその裏に配置された裏地とを有する上着において、次の手段を備えたものを提供する。前記表地は、前記身頃の脇部分を構成する表脇身頃部と、前記袖の内袖部分を構成する表小袖部とを、連続する生地で構成した脇小袖連続表地を含む。これに対して、前記裏地は、前記身頃の脇部分を構成する裏脇身頃部と、前記袖の内袖部分を構成する裏小袖部とを、連続する生地で構成した脇小袖連続裏地を含む。
前記袖の前記裏地は、前記脇小袖連続裏地の前記裏小袖部と、前記袖の外袖部を構成する大袖裏地とを備える。前記大袖裏地は、袖の付け根側の大袖上腕裏地と、袖先側の大袖前腕裏地とを備える。前記大袖上腕裏地は、袖の周方向の伸びが袖の長手方向の伸びよりも大きな横伸縮裏地で構成され、前記大袖前腕裏地は、袖の長手方向の伸びが袖の周方向の伸びよりも大きな縦伸縮裏地で構成されたものである。
【０００７】
前記表地は、前記脇小袖連続表地の前記表小袖部と共に前記袖を構成する大袖表地と、前記脇小袖連続表地の前記表脇身頃部の前後に配置された前身頃表地及び後身頃表地とを備えたものとすることができる。また、前記裏地は、前記脇小袖連続裏地の前記裏脇身頃部の前後に配置された前身頃裏地及び後身頃裏地とを備えたものとすることができる。前記後身頃裏地は、横伸縮裏地で構成することも好ましい。
【発明の効果】
【０００８】
本発明は、脇小袖連続生地を備えた上着において、表地と裏地とを包括的に捉えて、身頃から腕にかけての動きやすさを真の意味で実現することができる上着と、その裏地を提供することができたものである。
【図面の簡単な説明】
【０００９】
【図１】本発明の実施の形態に係る上着を示すもので、（Ａ）は正面図、（Ｂ）は要部構成図である。
【図２】同上着の表地の型紙の平面図である。
【図３】同上着の裏地の型紙の平面図である。
【発明を実施するための形態】
【００１０】
以下、図面に基づき本発明の実施の形態を説明する。
（全体構成について）
この上着は、背広型の学生用制服の上着であって、前身頃１１及び後身頃１２を備えた身頃と、この身頃の左右に縫製された袖１３とを備える。前身頃１１、後身頃１２、袖１３は、表地の裏に裏地を備えたもので、表地は、羊毛や、羊毛と合成繊維との混紡など、一般の背広、ジャケット、学生服などの上着の生地と同様の生地によって構成されている。なお、上着全体の形態は、図示の背広やジャケットなどの他、詰襟学生服の形態の上着に変更することも可能である。
【００１１】
（表地２０について）
表地２０は、図１（Ｂ）及び図２に示すように、前身頃表地２１と後身頃表地２２と脇小袖連続表地２５と大袖表地２６とを備える。
脇小袖連続表地２５は、脇身頃を構成する表脇身頃部２３と、袖１３の内袖部分を構成する表小袖部２４とが、連続した一連の生地によって形成されている。
【００１２】
前身頃表地２１と後身頃表地２２とは脇小袖連続表地２５の表脇身頃部２３を挟んで縫製されることによって、表地２０の身頃が構成される。
脇小袖連続表地２５の表小袖部２４の両側辺と大袖表地２６の両側辺とが縫製されることによって、筒状の表地２０の袖１３が形成され、この脇小袖連続表地２５の上辺が前身頃表地２１及び後身頃表地２２に縫製されることで、身頃と袖１３とが繋げられる。
このように、表脇身頃部２３から脇小袖連続表地２５に連続する脇小袖連続表地２５を用いることによって、脇部分にゆとりを持たせて腕の上げ下げをスムーズに行い良好な着心地を実現できるようにしたものである。
【００１３】
（裏地３０について）
裏地３０は、図１（Ｂ）及び図３に示すように、前身頃裏地３１と後身頃裏地３２と脇小袖連続裏地３５と大袖裏地３６を備え、表地と同じ生地で構成される見返し４０を備える。なお、さらに襟地を備えるが、図２及び図３での図示は省略する。また図２及び図３では縫い代については図示していないが、常法に従って縫製のための縫い代が形成される。
【００１４】
前身頃裏地３１と後身頃裏地３２とは脇小袖連続裏地３５の裏脇身頃部３３を挟んで縫製されることによって、裏地３０の身頃が構成される。
大袖裏地３６は、腕の付け根側の大袖上腕裏地３７と、腕先側の大袖前腕裏地３８とが別生地で構成されており、大袖上腕裏地３７と大袖前腕裏地３８とが縫製されることによって大袖裏地３６が形成される。この大袖裏地３６と脇小袖連続裏地３５の裏小袖部３４の両側辺とが縫製されることによって、筒状の裏地３０の袖１３が形成され、大袖上腕裏地３７の上辺が前身頃裏地３１及び後身頃裏地３２に縫製されることで、身頃と袖１３とが繋げられる。
【００１５】
（表地２０と裏地３０との縫製）
表地２０の内側に裏地３０が配置されて、縫製されることによって、上着が完成するが、その際、肩先１４については、脇小袖連続表地２５と脇小袖連続裏地３５とは縫着されずに、前身頃表地２１、後身頃表地２２及び大袖表地２６と、前身頃裏地３１、後身頃裏地３２及び大袖上腕裏地３７とが縫製される。なお、前身頃表地２１、後身頃表地２２及び大袖表地２６と、前身頃裏地３１、後身頃裏地３２及び大袖上腕裏地３７との縫製は、全てを縫製する必要はなく、肩先１４の一部のみを縫着するだけであってもよい。なお、袖先については、常法に従い、表地２０が折り返されて、裏地３０の全周と縫製される。
【００１６】
脇小袖連続表地２５と脇小袖連続裏地３５とが縫製されないことによって、表地２０及び裏地３０の双方において、腕を動かす際に、表脇身頃部２３と表小袖部２４とが一体的に動くと共に裏脇身頃部３３と裏小袖部３４とが一体的に動くことができ、且つ、表地２０と裏地３０とが規制し合わないことによって、腕のスムーズな動きを実現する。
【００１７】
（裏地３０の生地）
裏地３０については、滑り性や伸縮性を考慮して種々の材質が用いられるが、本発明では、普通裏地と伸縮裏地を用いる。
普通裏地は、ツイル地、タフタ地、スレーキ地、サテン地、カルゼ地、フランス綾地、トリコット地などによって構成されることができ、次に述べる伸縮裏地の伸縮性よりも低い伸長率のものであり、より具体的には、生地の縦横の双方に伸縮性がほとんど無いか、あっても数％に止まるものを用いることが好ましい。
【００１８】
伸縮裏地は、直交する２方向で異なる伸縮性を示すものを用いることができ、メッシュ生地や織地であっても経糸と緯糸とで伸縮性の異なるものを用いることができる。伸縮性は、10％以上、好ましくは15％以上のものが適しており、20％前後（±３％）の伸長率のものが最も好ましい。伸長率はあまりにも大きくなりすぎると、生地の安定性が損なわれるおそれがあるため、30％以下が好ましいが、安定性が損なわれない場合やこれを補う手段を講じる場合には、30％を超える伸長率を示すものであってもよい。
【００１９】
上記の伸長率は（ｗ２−ｗ１）／ｗ１×100で求められる。但し、ｗ１は伸ばす前の生地の長さ、ｗ２は伸ばした後の生地の長さをとする。
伸長の方向は、縦横いずれか一方が他方よりも大きいものを用い、伸びない方向には普通裏地と同程度のものを用いることができるが、普通裏地よりも大きな伸長率を示すものであってもよい。
【００２０】
大袖上腕裏地３７は横方向（腕の周方向）に大きな伸長率を示す伸縮裏地（以下、横伸縮裏地という）を用い、大袖前腕裏地３８には縦方向（腕の長さ方向）に大きな伸長率を示す伸縮裏地（以下、縦伸縮裏地という）を用いる。
他方、脇小袖連続裏地３５には普通裏地を用いる。
【００２１】
大袖上腕裏地３７に横伸縮裏地を用いることによって、肩から腕の付け根にかけての前後動に追随することができる。また、腕を上下させる場合にあっても、肩から腕の付け根にかけての伸びは、腕の長さ方向よりも腕の周方向に大きく生じるため、大袖上腕裏地３７に横伸縮裏地を用いることで肩から上腕部にかけての動きをスムーズにする。
【００２２】
大袖前腕裏地３８に縦伸縮裏地を用いることによって、肘の屈伸に追随することができる。従って大袖前腕裏地３８は、肘全体をカバーするものであることが好ましく、肘を曲げた際に、少なくとも肘の先が大袖前腕裏地３８によって覆われるものとすることが適当である。
【００２３】
脇小袖連続裏地３５には、普通裏地を用いることによって、脇から脇の下を経て腕につながる部分の伸長性を抑えて、大袖上腕裏地３７と大袖前腕裏地３８とを支持する。このように脇小袖連続裏地３５に普通裏地を用いることによって、大袖上腕裏地３７と大袖前腕裏地３８との伸縮を支える言わば背骨の役目を果たすことができる。発明者は、脇小袖連続裏地３５に縦伸縮裏地を用いることも検討したが、脇小袖連続裏地３５の裏小袖部３４は伸びる必要性が少ない部分であり、逆に伸びることによって型崩れが生じるおそれがある。そして、伸びると実感するのは、生地が引っ張られてテンションがかかって伸びた後に戻ってくる時に多く感じることを考慮すると、腕を上げた時にテンションがかかるのは、着心地を逆に悪くしてしまう。そこで、腕の上げ下げには、脇小袖連続裏地３５を用いて裏脇身頃部３３による脇部分にゆとりを持たせてテンションができるだけかかりにくいようにして、着心地が悪くなるのを抑制しながら腕の上げ下げにも対応することができるようにしたものである。
【００２４】
身頃については、前身頃裏地３１と後身頃裏地３２の双方に普通裏地を用いことができるが、後身頃裏地３２については横伸縮裏地を用いることも好ましい。これによって背中の伸縮性を高めて、腕から肩を前に出した時などに伸びるようにして、背中の動きをスムーズにすることができる。
【００２５】
以上、本発明は本発明は、脇小袖連続生地を備えた上着において、表地と裏地とを包括的に捉えて、身頃から腕にかけての動きやすさを真の意味で実現することができる上着を提供することができたものであり、本発明の趣旨に反しないかぎり種々変更して実施する事ができる。例えば、肩などにタックを入れたりするなどして、立体感を高めることもできる。その際、図２の表地の型紙に２点鎖線で示したように切込２７を設けておくこともでき、裏地にも同様な加工を施してよいが、タックのないものとして実施することも当然可能である。
なお、後身頃裏地３２は、後身頃の全体をカバーする総裏地としたが、後身頃の上半分のみをカバーする半裏地であってもよい。
また、パッドを肩などの必要な箇所に設けたり、補強布を用いたりするなど、種々変更して実施することができる。またデザイン上や縫製の点から上着に採用される種々の変更は、本発明にあっても適用することができる。
【符号の説明】
【００２６】
１１  前身頃
１２  後身頃
１３  袖
１４  肩先
２０  表地
２１  前身頃表地
２２  後身頃表地
２３  表脇身頃部
２４  表小袖部
２５  脇小袖連続表地
２６  大袖表地
３０  裏地
３１  前身頃裏地
３２  後身頃裏地
３３  裏脇身頃部
３４  裏小袖部
３５  脇小袖連続裏地
３６  大袖裏地
３７  大袖上腕裏地
３８  大袖前腕裏地
４０  見返し
【図１】
0006312629.tif 000002
【図２】
0006312629.tif 000003
【図３】
0006312629.tif 000004